(57)【要約】  本発明は、電流によるケラチン物質の化粧処置のためのデバイスであって、−少なくとも１つの電流発生器の同じ極性に連結される少なくとも２つの電極（１０１、１０２）を備える終片部（２５）と、−少なくとも１つの対電極（６０）と、−電力供給システム（１３）と、を備え、電極（１０１、１０２）が、電力供給システム（１３）によって互いに独立して管理される、デバイスに関する。
2017502748.tif 000002
【特許請求の範囲】
【請求項１】
電流によるケラチン物質の化粧処置のためのデバイスであって、
少なくとも１つの電流発生器の同じ極性に連結された少なくとも２つの電極（１０１、１０２）を備える終片部（２５）と、
少なくとも１つの対電極（６０）と、
電力供給システム（１３）と、
を備え、前記電極（１０１、１０２）が、前記電力供給システム（１３）によって互いに独立して管理される、デバイス。
【請求項２】
前記電力供給システム（１３）が、電極（１０１、１０２）に各々連結された複数の電流発生器（１０、１００）を備える、請求項１に記載のデバイス。
【請求項３】
電力供給回路（１３）が、各々の電極（１０１、１０２）とケラチン物質との間で電流（ｉｍ）を測定するための少なくとも１つのセンサ（２０）を備える、請求項１に記載のデバイス。
【請求項４】
前記電力供給回路（１３）が、各々の電極（１０１、１０２）と前記対電極（６０）との間で電圧を制御するように構成されたマイクロコントローラ（３）を備え、前記電圧が、前記センサ（２０）によって測定された電流（ｉｍ）に基づいて調節される、請求項３に記載のデバイス。
【請求項５】
各々の電極が、スイッチ（３３）に連結された、請求項３または４に記載のデバイス。
【請求項６】
前記終片部は、少なくとも１つのレリーフ（４１、４２、４３）が設けられた外部面（２５１）を有する、請求項１から５のいずれか一項に記載のデバイス。
【請求項７】
前記レリーフが、前記電極（１０１、１０２）が配置された少なくとも１つの突起（４１、４２、４３）を有する、請求項６に記載のデバイス。
【請求項８】
前記突起（４１）が、回転頭部を備える、請求項７に記載のデバイス。
【請求項９】
光の供給源を備える、請求項１から８のいずれか一項に記載のデバイス。
【請求項１０】
熱の供給源を備える、請求項１から９のいずれか一項に記載のデバイス。
【請求項１１】
前記熱の供給源が、赤外線供給源または抵抗器を備える、請求項１０に記載のデバイス。
【請求項１２】
化粧製品の貯留器、特に取り外し可能な貯留器を備える、請求項１から１１のいずれか一項に記載のデバイス。
【請求項１３】
前記化粧製品が、
特に、湿潤もしくは保湿活性剤、老化防止活性剤、たとえば脱色活性剤、皮膚微小循環に作用する活性剤、または、脂漏抑制活性剤から選択された活性剤を含むフェイスケアまたはボディケアの組成物と、
顔または体を化粧するための組成物と、
毛髪組成物、特に、毛髪を洗浄するための組成物、毛髪のケアもしくはコンディショニングのための組成物、毛髪の一時的な形態保持もしくは成形のための組成物、毛髪の一時的、半永久的、もしくは永久的な染色のための組成物、または、ストレートにする、もしくは、永久的なウェーブを掛けるための組成物、特に、毛根および毛髪をストレートにする、染色する、もしくは漂白するための組成物と、
頭皮のための組成物、特に、フケ防止の組成物、抜け毛防止のための組成物、毛髪の再生を促進するための組成物、脂漏防止組成物、炎症防止組成物、刺激の防止もしくは鎮静の組成物、跡を防止する組成物、または、頭皮を刺激もしくは保護するための組成物と、
から選択された、請求項１２に記載のデバイス。
【発明の詳細な説明】
【技術分野】
【０００１】
本発明は、特に、皮膚、頭皮、または毛髪の、ケラチン物質の化粧処置を実行するためのデバイスに関する。
【背景技術】
【０００２】
「化粧製品」という表現は、１９９３年６月１４日の非特許文献１に定義されているようなあらゆる組成物を意味すると理解される。
【０００３】
電流を皮膚に印加することで活性剤の浸透を促進できることが知られている。
【０００４】
したがって、イオン導入デバイスの助けを借りてヒトのケラチン物質を処置することが知られている（非特許文献２）。
【０００５】
イオン導入は、非侵襲的な手法での電気的な刺激のおかげで、皮膚を通じた活性剤の拡散を可能にする。印加される電流は、強度および方向（陽極または陰極の）に関して調整可能であり得る。イオン導入を介した分子の経皮的拡散は、２つの原理、すなわち、電気反発と電気浸透とに基づいている。
【０００６】
電気反発は、同じ符号の電荷の反発による、イオン化された分子の泳動である。したがって、物質が正の電荷を有する場合、物質は陽極（＋）において皮膚を通じて拡散する。
【０００７】
電気浸透は、イオン導入の間の陽極から陰極への水の流れに付随される同伴によって、分子が、非イオン化の分子であっても、泳動することである。泳動は、特に、皮膚の負の電荷に起因する。電流の効果の下で、水または溶剤は、泳動するときに溶解されている物質を同伴する。
【０００８】
電流が、終片部（end piece）を用いて皮膚に印加され得る。体または頬の大きな表面のためには、終片部は大きくなり得る。アクセスするのがより難しい領域では、終片部は、接触または移動するのがより容易である小さい頭部の形態を取り得る。
【０００９】
しかしながら、終片部の大きさが小さくなるほど、処置時間はより長くなる。これは、ケア処置の効果に影響がある。この問題を是正するために、市場で利用可能である一部のデバイスは、体の種々の特定の領域のために設計された種々の終片部が搭載されている。
【００１０】
したがって、Nu Skinによって販売されている電気製品Nu-Skin Galvanic Spa System II（登録商標）には、種々の形を有するいくつかの終片部が設けられている。キットは、顔用の終片部と、体用の終片部と、頭皮用の別の終片部とを備えている。同様に、特許文献１には、取り外し可能な終片部を有するイオン導入電気製品が記載されている。処置される領域に依存して、使用者は、皮膚との接触面が平坦または湾曲である終片部を選択できる。
【００１１】
額において、または、終片部が移動されるときに皮膚に適切に押し当てられない特定の状況では、電流強度の危険性は、処置される領域にわたって一様ではない。安全上の理由のため、この問題を回避するために、多くの電気製品は電流出力を制限してきた。これは、処置の効果も制限してしまう。
【先行技術文献】
【特許文献】
【００１２】
【特許文献１】特開２０１２−２５４１６８号公報
【特許文献２】中国特許出願公開第１０１５３２１９０号明細書
【特許文献３】特開２００９１７９９１５号公報
【特許文献４】仏国特許出願公開第２９１７２９９号明細書
【特許文献５】米国特許出願公開第２０１０／２７４３２９号明細書
【特許文献６】国際公開第２００８／０５７６４０号
【非特許文献】
【００１３】
【非特許文献１】Council Directive 93/35/EEC
【非特許文献２】J. Singh、K.S. Bhatia、topical iontophoretic drug delivery: pathways, principles, factors and skin irritation, Med. Res. Rev.、vol. 16、No. 3、285-296、1996
【発明の概要】
【発明が解決しようとする課題】
【００１４】
したがって、処置される領域にわたって一様な電流強度を確保でき、小形で安価である、電流での化粧処理のためのデバイスに対する要望がある。したがって、完全な安全性で使用できる、電流での化粧処置のためのデバイスに対する要望がある。
【課題を解決するための手段】
【００１５】
この目的のために、本発明は、同じ終片部にいくつかの電極（またはパッド）を設け、それらを互いから電気的に絶縁することを提案する。したがって、各々の電極は独立して管理される。各々の電極における電流の強度は、電極の皮膚との接触の度合いに依存して調整される。
【００１６】
体または頬の大きな表面のためには、電極のすべてが皮膚と接触してもよい。アクセスするのがより難しい領域では、一部の電極だけが皮膚と接触することになることが可能である。同様に、終片部が移動されるときに皮膚に対して適切に押し当てられない場合、一部の電極だけが皮膚と接触する。
【００１７】
本発明によるデバイスは、皮膚と接触している電極を検出することと、それらの電極だけに電流を選択的に供給することとを可能にする。
【００１８】
より具体的には、本発明の主題は、電流によるケラチン物質の化粧処置のためのデバイスであって、
−  少なくとも１つの電流発生器の同じ極性に連結された少なくとも２つの電極を備える終片部と、
−  少なくとも１つの対電極と、
−  電力供給システムと、
を備え、電極が、電力供給システムによって互いに独立して管理される、デバイスである。
【００１９】
本発明によれば、「電極」は、正に帯電される電極（陽極）、または、負に帯電される電極（陽極）であると理解される。この電極は、概して、ケラチン物質と直接的に接触するように、終片部の外部面に配置される。しかしながら、電極は、終片部の外壁に挿入されてもよい。この場合、電極はケラチン物質と直接的に接触しない。概して、電極は、処置される領域と接触している。
【００２０】
本文を通じて、「電極」という用語は、単一の絶縁された電極を意味する。電極は、たとえば、ボールまたはパッドの形態であり得る。「対電極」は、負に帯電される電極（陽極）、または、正に帯電される電極（陽極）であると理解される。対電極の電荷は、電極の電荷の逆である。概して、前記対電極は、デバイスの本体に、または、ハンドピースに配置される。対電極は、ケア処置を受けるヒトの体の領域と接触するように意図されている。たとえば、対電極はヒトの指の間に保持され得る。一構成では、対電極は終片部に配置され得る。この場合には、対電極は絶縁空間によって電極から分離される。
【００２１】
「電力供給システム」は、電極と対電極との間の電位差を誘導することができる電気的な組立体であると理解される。終片部が顔に置かれる場合、および、対電極が手に保持される場合、電位差が、顔と手との間に電流を作り出すことを可能にする。
【００２２】
「電極が、電力供給システムによって互いから独立して管理される」という表現は、電極が互いから電気的に絶縁されていることを意味する。各々の電極は、独立した部品として管理される。各々の電極の作動は、他の電極の作動に依存しない。
【００２３】
[電気回路]
第１の実施形態によれば、電力供給回路は、電極に各々連結される複数の電流発生器を備える。この場合、各々の電極は、それ自体の電流発生器によって管理される。この実施形態は、単純な設計を持っている。
【００２４】
本発明の第２の実施形態によれば、電力供給回路は、各々の電極とケラチン物質との間で電流（ｉｍ）を測定するための少なくとも１つのセンサを備える。
【００２５】
有利には、電力供給回路は、各々の電極と対電極との間の電圧を制御するように設計されるマイクロコントローラを備え、それによって、電流を制御することを可能にする。前記電圧は、センサによって測定される電流（ｉｍ）に基づいて調節される。
【００２６】
この場合では、電力供給回路は、複数の電極に連結される少なくとも１つの電流発生器を備える。別の言い方をすれば、電極は、少なくとも１つの電流発生器に並列に連結される。
【００２７】
有利には、本発明によるデバイスは、電極と皮膚との間で検出される電流が所定の閾値（ｉｓ）未満である場合、電極の電力供給をスタンバイにするように設計される電子ユニットを備える。電極と対電極との間の電位差は、電力供給がスタンバイにある状態で、電力供給回路によって閾値（Ｕｓ）に維持される。
【００２８】
対照的に、電極と皮膚との間で検出される電流（ｉｍ）がこの閾値（ｉｓ）を上回っている場合、発生器は、ｉｓより高い所定値（Ｉ１）へと電流を増加させる。電流は、電極と対電極との間で皮膚を通って流れる。
【００２９】
より有利には、電子ユニットは、各々の電極と皮膚との間の電流値を検出するための複数の電流センサを備える。
【００３０】
好ましくは、電力供給回路はマイクロコントローラを備える。
【００３１】
好ましくは、閾電流（ｉｓ）は５μＡから１０μＡの間である。
【００３２】
各々の電極における電力供給は、電極と皮膚との間で検出される電流測定（ｉｍ）に基づいて調節される。この電流は、有利には、センサによって検出される。
【００３３】
電流（ｉｍ）は、マイクロプロセッサによって、閾電流値（ｉｓ）と比較される。
【００３４】
（ｉｍ）＞（ｉｓ）の場合、発生器は、電極において、所定の値（Ｉ１）までの範囲である電力供給電流を送る。
【００３５】
（ｉｍ）＜（ｉｓ）の場合、発生器は、電極において、あらゆる追加の電流を送らない。したがって、スタンバイ状況がその場合である。
【００３６】
好ましくは、電流（Ｉ１）は、０．０１ｍＡ／ｃｍ２〜０．５ｍＡ／ｃｍ２、好ましくは０．１ｍＡ／ｃｍ２〜０．３ｍＡ／ｃｍ２の単位面積当たりの電流強度に到達するために特定される。
【００３７】
「マイクロコントローラ」という用語が、たとえば、マイクロプロセッサチップといった、単一の電子デバイスに対応する、または、たとえば、第三者の機器の品目（ＰＣ、ＰＤＡなど）によって管理を可能にする通信ゲートウェイといった、プログラム可能な電子要素のセットに対応することは、理解されるものである。
【００３８】
より好ましくは、各々の電極はスイッチに連結される。スイッチは、電流の存在を検出するための手段を形成する。スイッチは電流センサとして作用する。
【００３９】
さらにより有利には、各々の電極は、電子基板に表面実装される。
【００４０】
[電気パラメータ]
電力供給源は、任意の再充電不可能な電池、または、任意の蓄電池を備えてもよい。電極同士の間の電圧は、たとえば、１．２Ｖから２４Ｖの間であり、好ましくは１．２Ｖから３．３Ｖの間であり、適切な場合、電流の通路がスポットヒーティングを作り出してもよい。
【００４１】
電力供給源は、たとえば、直流電圧供給源を備えてもよい。変形では、電力供給源は、時間とともに生成される電圧の大きさを変えるための電子回路を備え得る。たとえば、この電子回路はチョッパであってもよい。
【００４２】
同等の電流密度において、デバイスは、特に、皮膚において、好ましくは０．５００ｍＡ／ｃｍ２以下、たとえば、０．１ｍＡ／ｃｍ２から０．５００ｍＡ／ｃｍ２の間、たとえば、０．１ｍＡ／ｃｍ２から０．３０ｍＡ／ｃｍ２の間の電流密度を送ることができる。
【００４３】
[電極]
電極は、電極が皮膚と直接的に接触するのを許容する視覚可能な自由面を有する。
【００４４】
デバイスは軽くたたくような仕方で使用でき、使用者は、デバイスを一方の手で保持し、電極を皮膚と接触させる。
【００４５】
使用者は、電極を皮膚と接触させたままデバイスを移動することができる、または、デバイスが第１の領域と第２の領域との間で移動されている間に電極を皮膚から離すように移動できる。
【００４６】
電極は、たとえば、平坦な円板または多角形の形態で、平坦であってもよい。
【００４７】
電極は多孔性であってもよい。電極は、様々な形を有してもよく、たとえば、外側に向かって凸状である、外側に向かって凹状である、または平坦である、皮膚と接触するように意図された表面を有してもよい。好ましくは、電極は、皮膚を傷めないように滑らかである。
【００４８】
電極は、２つの球体またはローラによって形成されてもよく、それぞれの筐体で回転することができる、または、回転することができない。
【００４９】
電極は、中空であってもよく、たとえば、導電性金属シートを型打ちまたは曲げることで形成される。
【００５０】
＜電極を製作するために使用することができる材料＞
電極を形成する材料は、同一であってもよいし、または、異なってもよい。
【００５１】
少なくとも１つの電極は、たとえば、次のようなものを備え得る。
−  たとえば、金属（クロム、ステンレス鋼）。
−  処方に対して不活性である貴金属（金、チタン）。
−  貴金属でメッキされた金属。
−  合金。
−  複合材料（炭素微小繊維が多く含まれた樹脂材料）。
−  導電性織布。
−  導電性不織布。
−  ポリマ材料で下塗りされた導電体。
−  繊維性材料。
−  たとえば、特許文献２に記載されているような、導電性ポリマ繊維。
−  たとえば、特許文献３に記載されているような、炭素繊維。
−  銀、銅、または炭素などの導電性の充填材の追加による、シリコンで下塗りされた導電体。このようなシリコンは、たとえば、Saint Gobain、Plastics Performance、およびAquitaine Caoutchouc 2000という会社によって、供給される。
−  たとえば、UtexbelおよびCousin Biotechという会社によって供給される導電性金属布。
−  たとえば、CopemaおよびRexamという会社によって供給される、炭素が多く含まれたビニール。
−  たとえば、Copemaおよび３Ｍという会社によって供給される電気外科プレート。
−  たとえば、Paniplastという会社によって供給される本質的に導電性のポリマ。
【００５２】
[終片部]
終片部は、任意の幾何学的形状を有してもよい。終片部の外部面は、電極が埋め込まれる適用面を形成する。
【００５３】
材料は、大部分は非酸化性の形態であってもよい。
【００５４】
適用面は、化学的な視点から、製品およびケラチン物質に対して完全に不活性であり得る。
【００５５】
適用面はワニスで覆われてもよい。
【００５６】
適用面は研磨されてもよい。
【００５７】
終片部は、その表面において、たとえば銀または銅といった殺菌性の物質を有してもよい。このような金属は、薄い層の形態で蒸着されてもよい。
【００５８】
本発明の一実施形態によれば、適用面は滑らかである。この場合には、デバイスは、マッサージ作用が望まれない場合、頬または額などの広い領域に特に適している。
【００５９】
本発明の別の実施形態によれば、終片部は、少なくとも１つのレリーフ（relief）が設けられた外部面を有する。
【００６０】
この場合、デバイスは、体の選択された領域をマッサージするように作用してもよい。
【００６１】
有利には、レリーフは、電極が配置される少なくとも１つの突起を有する。
【００６２】
レリーフ要素（relief element）は、特に、スパイク、ボール、およびローラから選択され得る。
【００６３】
レリーフ要素は、それ自体が滑らかであってもよいし、相補的な浮き上がった領域を有してもよい。
【００６４】
より有利には、突起は回転頭部（ロールオン）を備える。
【００６５】
特に、頭部はボールまたは円筒である。
【００６６】
代替で、レリーフ要素は除去可能であってもよい。したがって、たとえば、レリーフ要素の寸法、表面特性、または粗さを変更するために、デバイスのレリーフ要素を変えることが可能である。
【００６７】
レリーフ要素は、アクリル形式、セルロース形式、ポリカーボネート形式、ポリアミド形式、スチレン形式、ポリオレフィン形式、ビニール形式、またはポリエチレンテレフタレート系、および、膨張される、または、膨張されない、これらの材料の変更可能な割合での混合物の熱可塑性プラスチック材料を含み得る。レリーフ要素は、１つもしくは複数の熱可塑性樹脂、または、１つもしくは複数の金属を備え得る。
【００６８】
電極は、皮膚のレリーフとの接触をより良く最適化するために、取り外し可能であり得る、可撓性であり得る、または、玉継ぎ手で搭載され得る。
【００６９】
[補助的な機能]
デバイスは、選択的に作動され得る１つまたは複数の処置モジュールを備えてもよく、後で詳細に説明するように、たとえば、終片部を、光に、熱の供給源に、または振動に曝すことが考えられる。
【００７０】
ｉ）[光の供給源]
本発明によれば、デバイスは、有利には、光の供給源を備える。
【００７１】
光の供給源は、たとえば、文献である、特許文献４、特許文献５、または特許文献６に記載されているような、少なくとも１つのＬＥＤであってもよい。
【００７２】
ｉｉ）[熱の供給源]
本発明によれば、デバイスは、有利には、熱の供給源を備える。
【００７３】
この場合、終片部の外部面の温度および／もしくは処置される領域の温度を変更すること、ならびに／または、エネルギーを終片部の外部面および／もしくは処置される領域へと伝達することが可能である。
【００７４】
デバイスは、たとえば、終片部の下で位置決めされる加熱抵抗器、熱電素子、または赤外線供給源を備えてもよい。
【００７５】
好ましくは、熱の供給源が赤外線供給源または抵抗器を備える。
【００７６】
デバイスは、加熱モジュールを備えてもよく、たとえば、３５℃から４５℃の間の温度といった所定の温度に、終片部の外部面を加熱するように構成されてもよい。加熱モジュールを備えるデバイスの場合、加熱面は、加熱モードにおいて、室温より１０℃から３５℃高い温度に、好ましくは、１５℃から２５℃高い温度に、到達できる。加熱モジュールによって送られる電力は、０．２５Ｗから１０Ｗの間で、好ましくは０．５Ｗから５Ｗの間であり得る。
【００７７】
より好ましくは、熱の供給源は、デバイスの内部に全体的に収められる。
【００７８】
抵抗器は、たとえば、スイッチの場所を用いて、２つの絶縁されたコネクタによって基板に連結されてもよい。
【００７９】
赤外線供給源は、取っ手など、デバイスの本体に内蔵されてもよい。たとえば、シェルといったデバイスの外部部品は、終片部に向かって赤外線放射を案内するように作用できる。
【００８０】
電気回路は、加熱部材と直列に連結され、たとえば、加熱部材に所望の比率で電力を供給することを可能にする少なくとも１つの電子スイッチを備えてもよい。
【００８１】
[化粧組成物]
少なくとも１つの化粧組成物をデバイスとともに用いることが可能である。
【００８２】
使用される組成物は、たとえば、水溶液、オイル、乳液、パウダー、またはジェルの形態でといった、すべての形態で可能性がある。使用される組成物は皮膚に噴霧されてもよい。
【００８３】
使用される組成物がジェルの形態であるとき、ジェルは、前述のように、適用される電極の形を取ることができる。
【００８４】
組成物は貯留器に収容されてもよい。
【００８５】
貯留器は、印加器に取り外し可能に搭載されてもよいし、または、搭載されなくてもよい。
【００８６】
有利には、本発明によるデバイスは、化粧製品の貯留器であって、特に取り外し可能な貯留器を備える。
【００８７】
貯留器は、たとえば、小袋、ブリスターパック、箱、瓶、または、熱可塑性プラスチック材料から作られた包装であり得る。
【００８８】
組成物は活性成分を含んでもよい。
【００８９】
有利には、化粧製品は以下の中から選択される。
−  特に、湿潤もしくは保湿活性剤、老化防止活性剤、たとえば脱色活性剤、皮膚微小循環に作用する活性剤、または、脂漏抑制活性剤から選択される活性剤を含むフェイスケアまたはボディケアの組成物。
−  顔または体を化粧するための組成物。
−  毛髪組成物、特に、毛髪を洗浄するための組成物、毛髪のケアもしくはコンディショニングのための組成物、毛髪の一時的な形態保持もしくは成形のための組成物、毛髪の一時的、半永久的、もしくは永久的な染色のための組成物、または、ストレートにする、もしくは、永久的なウェーブを掛けるための組成物、特に、毛根および毛髪をストレートにする、染色する、もしくは漂白するための組成物。
−  頭皮のための組成物、特に、フケ防止の組成物、抜け毛防止のための組成物、毛髪の再生を促進するための組成物、脂漏防止組成物、炎症防止組成物、刺激の防止もしくは鎮静の組成物、跡を防止する組成物、または、頭皮を刺激もしくは保護するための組成物。
【００９０】
デバイスは、たとえば、シワ、ヘルペス、ニキビを食い止めるため、または、皮膚または毛髪の密度を再び高めるため、様々な化粧処置で使用され得る。
【００９１】
本発明のさらなる特徴および利点が、以下の詳細な説明を読むことで明らかとなり、その詳細な説明は、添付の図面に示されている非限定的な実施形態を参照して提供されている。
【図面の簡単な説明】
【００９２】
【図１】デバイスの作動原理をより良く理解するために、本発明の定義を示す図である。
【図２】本発明によるデバイスの作動を概略的および部分的に示す図である。
【図３】本発明の第１の実施形態による電化製品を概略的および部分的に示す図である。
【図４】本発明の第２の実施形態による電化製品を概略的および部分的に示す図である。
【図５】本発明によるデバイスで使用される電子基板のブロック図である。
【図６】本発明によるデバイスにおいてマイクロコントローラによって実施されるプログラムの流れ図である。
【図７】本発明によるデバイスの終片部を概略的および部分的に示す斜視図である。
【図８】図７からのボールを概略的および部分的に示す平面図である。
【図９】本発明による終片部の使用を示す図である。
【図１０】本発明による終片部の使用を示す図である。
【図１１】本発明による終片部の使用を示す図である。
【図１２】本発明による終片部の使用を示す図である。
【発明を実施するための形態】
【００９３】
図１は、電力供給部１３に連結されている３つの電極１０１、１０２、および１０４を備えているデバイスを示している。２つの電極１０２および１０４は皮膚８０と接触している。電極１０１は皮膚から離れている。この電極１０１には、皮膚８０と接触している電極１０２および１０４と同じ方法で電流が供給される。電極１０１のこの電力供給は、閃光１４によって象徴されている。
【００９４】
デバイスを使用するために、使用者は、皮膚または電極に化粧処理製品を選択的に堆積した後、体の領域１２の皮膚８０にわたって終片部を移動できる。
【００９５】
図２は、
−  終片部２５の外部面に設けられた３つの電極１０１、１０２、および１０４と、
−  電力供給部１３と、
を備える、本発明によるデバイスを示している。
【００９６】
このデバイスは、図１におけるデバイスと同じ方法で使用される。しかしながら、少なくとも１つの電極が皮膚８０ともはや接触しなくなるや否や、作動は異なっている。
【００９７】
示した例では、２つの電極１０２および１０４は皮膚８０と完全に接触している。
【００９８】
対照的に、電極１０１については、皮膚と接触している表面は非常に小さい。電極１０１における局所的な加熱が生じる。電流は、この電極１０１において、本発明による電力供給システムによって制御される。
【００９９】
電極１０１、１０２、および１０４は、終片部２５に部分的に挿入されてもよく、たとえば、熱可塑性プラスチック材料をケーシングとともに成形することで製作できる様々なサポートレリーフ（support relief）によって、終片部２５の内部に保持される。
【０１００】
電極は、実質的に凸状である皮膚との接触面で示されているが、本発明は、皮膚と接触するように意図されている電極の具体的な表面形状に限定されていない。
【０１０１】
電極は、終片部２５と一体品で成形された筐体２６において、スナップ留めすることで保持されているボールであり得る。
【０１０２】
電極は、変形の実施形態によれば、その筐体２６において自由に回転してもよい。
【０１０３】
図３は、本発明の第１の実施形態によるデバイスの詳細を示している。３つの発生器１、１０、および１００が、所与の電力で電流を出力する。３つの電極１０１、１０２、および１０４は、それぞれ電流発生器１００、１０、および１に連結されている。電流は、各々の電極１０１、１０２、および１０４によって処置される皮膚１２の領域へと伝えられる。電極１０１、１０２、および１０４は、電気的に絶縁されている。電極１０１、１０２、および１０４は、電流の強度を皮膚と接触している電極の数に適合させるために、互いに独立して管理される。各々の電極１０１、１０２、および１０４は、所与の電流強度を送るために設定される関連付けられた発生器１００、１０、および１によって管理される。
【０１０４】
デバイスは、電極１０１、１０２、および１０４に電力を選択的に供給することを可能にする電気回路を備えている。
【０１０５】
１つの電極が皮膚と接触している場合、この電極を皮膚に連結している電気回路が閉じられる。この場合、前記電極における電力供給部が提供される。
【０１０６】
１つの電極が皮膚と接触していない場合、この電極を皮膚に連結している電気回路が開けられる。この場合、前記電極における電力供給部が提供されない。
【０１０７】
図４は、本発明の第２の実施形態によるデバイスの詳細を示している。１つの発生器１が、所与の電力で電流を出力する。３つの電極１０１、１０２、および１０４は、電流発生器１に並列に連結されている。電流は、各々の電極１０１、１０２、および１０４によって処置される皮膚８０の領域へと伝えられる。処置される皮膚の領域における処置の効果および電流の均一性の疑問が、特に領域の周辺において生じる。このために、デバイスは、発生器によって発生される電流を調節するために、各々の電極１０１、１０２、および１０４と対電極６０との間の電圧を制御するように設計されているマイクロコントローラ３を備えている。電極＞＜皮膚の回路の各々のループにおいて、電流の存在を検出するためのスイッチ３３が配置されている。この情報は、マイクロコントローラ３に通信される。
【０１０８】
図５は、本発明の第２の実施形態によるデバイスの詳細を示している。デバイスは、電極１０１、１０２、および１０４を備えている。電流センサ２０とスイッチとが電気回路にも配置されている。マイクロコントローラ３は、電流センサ２０によって提供される測定と、所望のケアの種類とに依存して、電極における電流の強度を制御する。
【０１０９】
マイクロコントローラ３には、電池６によって電力が供給され、電流センサ２０によって測定されたデータを受信する。マイクロコントローラ３は、使用者によって作動されるボタン２１から、オン／オフ命令およびプログラミングも受信する。このようなボタン２１は、機械的または触知性であり得る。マイクロコントローラ３は、使用者がデバイスの操作モードを見ることができるように、スクリーンに情報を表示させることもできる。
【０１１０】
図６は、本発明の第２の実施形態によるデバイスにおいてマイクロコントローラによって実施されるプログラムの流れ図である。
【０１１１】
デバイスが作動（スタート）され、プログラムが使用者によって選択されるとき、マイクロコントローラは、電流センサから測定された電流（ｉｍ）についての読み取りデータの項目を集める。
【０１１２】
電流（ｉｍ）は、マイクロプロセッサによって、閾電流値（ｉｓ）と比較される。
【０１１３】
示した例では、電流値は次のように固定されている。
・ｉｓ＝−１０μＡ
・電流（Ｉ１）が、０．３ｍＡ／ｃｍ２に等しい単位面積当たりの電流強に到達するために、特定される。
【０１１４】
（ｉｍ）＞（ｉｓ）の場合、発生器は、電極において、所定の値（Ｉ１）までの範囲である電力供給電流を送る。したがって、（ｉオン＝Ｉ１）は電極における場合である。
【０１１５】
（ｉｍ）＜（ｉｓ）の場合、発生器は、電極において、いかなる追加の電流も送らない。したがって、スタンバイ状況がその場合である。したがって、（ｉオフ）は電極における場合である。
【０１１６】
デバイスは、デバイスが所与の場所において処置領域から遠くに離されて保持されているため、少なくとも１つの電極からの電流の出力が遮断されたことを、使用者に知覚できる手法で案内するための指示ライトおよび／またはスピーカを備えてもよい。
【０１１７】
より明確には、各々の電極の出力電力は、デバイスにおける電極の場所（中心位置または周辺位置）に依存する、および／または、電極の種類に依存する、および／または、電流（連続またはパルス）に依存する特定の調節法則に従ってもよい。
【０１１８】
図７は、対電極６０を備えた本発明によるデバイスに一体化された終片部２５を示している。電極１０１、１０２、および１０４は、可動ボール４１、４２、および４３に配置され得る。たとえば、ボールは、終片部２５の外部面と一体の中心部の周りに自由に回転してもよい。デバイスは、本発明の第１の実施形態（図３）に従って、または、本発明の第２の実施形態（図４）に従って、作動してもよい。電極は、「表面搭載部品」の種類の構成部品を構成してもよい。デバイスは、終片部２５が搭載されるシェルから作られた本体５０を有している。本体５０のシェルは、他の電子部品および電池６を収めている。終片部２５は、図６を参照して言及された電流センサ２０とマイクロコントローラ３とが配置される電子基板を担持してもよい。
【０１１９】
任意の種類のプログラムが、パルスおよび／または連続および／または交互の電流の放出を制御するために、本発明の範囲で検討できる。図８は、終片部２５に固定された中心部７０に搭載される、図７からのデバイスのボール４１を示している。この描写では、中心部７０は、終片部２５の外部面２５１と平行である。
【０１２０】
図９〜図１２は、本発明によるデバイスの使用を示している。
【０１２１】
使用されるデバイスは、図９に示されている。デバイスは、尖った先端の形態の終片部２５を備えている。電極１０１、１０２、１０３、１０４、１０５、１０６、および１０７は、終片部２５の外部面２５１に配置されている。このデバイスは、たとえば、家庭で使用され得る。使用者は、一方の手で本体５０を保持する。対電極６０は、他方の手で保持される。使用者は、終片部２５を顔に適用する（図１０）。顔と接触している電極は、中空の円によって表されている。顔と接触していない電極は、中実の円によって表されている。
【０１２２】
図１０では、電極１０１、１０２、１０３、１０４、１０５、１０６、および１０７のすべてが顔と接触している。電流は、これらの電極の各々において通過する。使用者は、たとえば、終片部を顔の上で鼻の方向に移動する（図１１）。電極１０１、１０２、１０５、１０６、および１０７は、皮膚ともはや接触していない。電流は、これらの電極において遮断される。電流は、電極１０３および１０４を通過し続ける。使用者は、終片部を頬の下に向かって移動する（図１２）。電極１０１、１０２、１０３、１０５、１０６、および１０７は、皮膚ともはや接触していない。電流は、これらの電極において遮断される。電流は、電極１０４においてのみ通過し続ける。
【０１２３】
本発明は、図１〜図１２に示されている具体的な実施形態を参照して、および、具体的な例を参照して説明されているが、さらなる変形が当業者によって考えられてもよく、特に、電極の数および種類が変化してもよく、記載したもの以外の構成が、本発明による電気製品を形成するために考えられてもよいことは、理解されるものである。特に、終片部の形は変化してもよく、または、電極および対電極の位置は変化してもよい。デバイスは、たとえば、本体５０の長手方向軸Ｘが、電極を担持する部品の軸Ｙと、たとえば、軸Ｘと軸Ｙとの間の角度が３０°であるといった、角度を形成するように、角のある形を有してもよい。
【０１２４】
「備える」という表現は、そうでないように明示されていない場合、「少なくとも１つを備える」と同義であるとして理解されるべきである。
【符号の説明】
【０１２５】
１、１０、１００  発生器
３  マイクロコントローラ
６  電池
１２  皮膚
１３  電力供給部
１４  閃光
２０  電流センサ
２１  ボタン
２５  終片部
２６  筐体
３３  スイッチ
４１、４２、４３  可動ボール
５０  本体
６０  対電極
７０  中心部
８０  皮膚
１０１、１０２、１０３、１０４、１０５、１０６、１０７  電極
２５１  外部面
【図１】
2017502748.tif 000003
【図２】
2017502748.tif 000004
【図３】
2017502748.tif 000005
【図４】
2017502748.tif 000006
【図５】
2017502748.tif 000007
【図６】
2017502748.tif 000008
【図７】
2017502748.tif 000009
【図８】
2017502748.tif 000010
【図９】
2017502748.tif 000011
【図１０】
2017502748.tif 000012
【図１１】
2017502748.tif 000013
【図１２】
2017502748.tif 000014
【国際調査報告】
2017502748.tif 000015
2017502748.tif 000016